(57)【要約】【課題】付着した毛髪やごみ等が取り除きやすいヘアキャッチャーを提供する。【解決手段】ヘアキャッチャー１０は、排水路７内に配置され、複数の第１通水孔１０Ａが形成され、流入側面Ｓ１から隆起した複数の隆起部１０Ｂを備え、外周縁の任意の位置から中央に向けた第１方向Ｄ１，Ｄ２において複数の隆起部１０Ｂが並び、第１方向Ｄ１，Ｄ２と交差する第２方向Ｄ３においても複数の隆起部１０Ｂが並んでいる。【選択図】図１
2019167672.tif 000002
【特許請求の範囲】
【請求項１】
排水路内に配置され、複数の第１通水孔が形成されたヘアキャッチャーであって、
流入側面から隆起した複数の隆起部を備え、
外周縁の任意の位置から中央に向けた第１方向において複数の前記隆起部が並び、前記第１方向と交差する任意の第２方向においても複数の前記隆起部が並んでいることを特徴とするヘアキャッチャー。
【請求項２】
前記第１通水孔の流入口が前記隆起部に開口していることを特徴とする請求項１に記載のヘアキャッチャー。
【請求項３】
前記排水路内に配置された状態で、第２通水孔の流入口が前記流入側面の最下部に開口していることを特徴とする請求項１又は２に記載のヘアキャッチャー。
【発明の詳細な説明】
【技術分野】
【０００１】
本発明はヘアキャッチャーに関する。
【背景技術】
【０００２】
特許文献１は従来のヘアキャッチャーを開示している。このヘアキャッチャーは椀状に形成されている。また、このヘアキャッチャーは椀状に形成された中心から外周に向けて放射状に延びる複数のリブ、及び隣り合うリブの間のそれぞれに複数の通水孔が形成されている。このヘアキャッチャーは毛髪や繊維状のごみ（以降、ごみともいう）が各リブの先端部に接触することにより、ヘアキャッチャーと毛髪やごみとの接触する面積を小さく抑えることができる。これにより、このヘアキャッチャーは捕集した毛髪やごみがヘアキャッチャーから剥離し易い。
【先行技術文献】
【特許文献】
【０００３】
【特許文献１】特開２０１０−３７９２３号公報
【発明の概要】
【発明が解決しようとする課題】
【０００４】
しかし、特許文献１のヘアキャッチャーは、毛髪やごみがリブに沿っている場合、通水孔の近傍に位置する毛髪やごみの端部が通水孔に垂下して入り込み易い。これにより、このヘアキャッチャーは捕集した毛髪やごみが取り除き難い。
【０００５】
本発明は、上記従来の実情に鑑みてなされたものであって、付着した毛髪やごみが取り除き易いヘアキャッチャーを提供することを解決すべき課題としている。
【課題を解決するための手段】
【０００６】
本発明のヘアキャッチャーは、
排水路内に配置され、複数の第１通水孔が形成されたヘアキャッチャーであって、
流入側面から隆起した複数の隆起部を備え、
外周縁の任意の位置から中央に向けた第１方向において複数の前記隆起部が並び、前記第１方向と交差する任意の第２方向においても複数の前記隆起部が並んでいることを特徴とする。
【０００７】
このヘアキャッチャーは、毛髪やごみが流入側面に沿う方向で、流入側面に対してどの方向を向いて配置されても、毛髪やごみが隆起部に接触することになるため、毛髪やごみの全体が流入側面に接触することを抑えることができ、毛髪やごみを流入側面から剥離し易くすることができる。
【０００８】
したがって、本発明のヘアキャッチャーは付着した毛髪やごみが取り除き易い。
【図面の簡単な説明】
【０００９】
【図１】実施例１のヘアキャッチャーを排水路内に配置した状態を示す断面図である。
【図２】図１における矢示Ａ−Ａ断面図である。
【図３】図２における矢示Ｂ−Ｂ断面図である。
【図４】（Ａ）は図２における矢示Ｃ−Ｃ断面図であって、（Ｂ）は（Ａ）において、毛髪やごみが隆起部の先端部に当接した状態であり、（Ｃ）は（Ａ）において、隆起部の先端部に当接する毛髪やごみの端部が通水孔に位置した状態である。
【図５】図２における矢示Ｄ−Ｄ断面図である。
【発明を実施するための形態】
【００１０】
本発明における好ましい実施の形態を説明する。
【００１１】
本発明のヘアキャッチャーは、第１通水孔の流入口が隆起部に開口し得る。この場合、毛髪やごみは第１通水孔の流入口に入る前に隆起部に接触することになる。このため、毛髪やごみの端部は、流入側面から離れる方向に向き易くなる。これにより、毛髪やごみが流入口に入り難くすることができる。
【００１２】
本発明のヘアキャッチャーは排水路内に配置された状態で、第２通水孔の流入口が流入側面の最下部に開口し得る。この場合、排水が第２通水孔から流下することによって、流入側面に排水が溜まり難くすることができる。これにより、流入側面を乾燥した状態にし易い。
【００１３】
次に、本発明の排水栓を具体化した実施例１について、図面を参照しつつ説明する。
【００１４】
＜実施例１＞
実施例１のヘアキャッチャー１０は、図１、２に示すように、洗面器１の排水口３に連通して連結した排水路７内に配置される。
洗面器１の排水口３は、洗面器１の上方から見た平面視において、円形状をなして開口しており、洗面器１の底面１Ａから内側下方（上下は、図１における上側、下側である。）に向けて曲面で形成され、下方に向かって徐々に縮径し、下端部で内側に突出した縁部５を形成している。
洗面器１の排水口３の下端部の縁部５には、下方に延びた円筒状の排水路７が連通して連結している。また、排水路７の上端部は下側より内径が大きく形成されており、内径が大きく形成された部分の下端には段部７Ａが形成されている。
【００１５】
ヘアキャッチャー１０は、ヘアキャッチャー本体１０Ｅ、及び複数の隆起部１０Ｂを備えている。
ヘアキャッチャー本体１０Ｅはほぼ椀状をなしており、排水路７内に配置されている。ヘアキャッチャー本体１０Ｅにおいて、窪んで湾曲した側の面（内側の面）は流入側面Ｓ１であり、流入側面Ｓ１と反対側の面（外側の面）が流出側面Ｓ２である。
複数の隆起部１０Ｂは流入側面Ｓ１から隆起して設けられている。各隆起部１０Ｂの表面は流入側面Ｓ１の一部である。
【００１６】
また、ヘアキャッチャー１０には、複数の第１通水孔１０Ａ、及び複数の第２通水孔１０Ｃが形成されている。
複数の第１通水孔１０Ａは流入側面Ｓ１から流出側面Ｓ２に向けて貫通して設けられている。各第１通水孔１０Ａは流入口Ｅ１が隆起部１０Ｂに開口しており、流出口Ｅ２が流出側面Ｓ２に開口している。
複数の第２通水孔１０Ｃは、ヘアキャッチャー１０が排水路７内に配置された状態で、流入口Ｅ３が流入側面Ｓ１の最下部に開口し、流出口Ｅ４が流出側面Ｓ２に開口している（図３参照。）。
また、ヘアキャッチャー本体１０Ｅの外周縁には、ヘアキャッチャー本体１０Ｅの中心から放射方向に突出する複数の突起部１０Ｄが設けられている。ヘアキャッチャー１０は、排水路７の段部７Ａにこれら突起部１０Ｄを係止して排水路７内に配置される。
【００１７】
また、ヘアキャッチャー１０の隆起部１０Ｂは、図２〜５に示すように、ヘアキャッチャー本体１０Ｅの外周縁の任意の位置から中央に向けた第１方向Ｄ１，Ｄ２や、第１方向Ｄ１，Ｄ２と交差する第２方向Ｄ３において複数が並んで配置されている。隆起部１０Ｂは第１方向Ｄ１，Ｄ２と交差する任意の方向においても複数が並んで配置されている（図２参照。）。
【００１８】
次に、ヘアキャッチャー１０における作用を説明する。
排水と共に排水路７に流入した毛髪やごみはヘアキャッチャー１０に捕集される。図４（Ｂ）、（Ｃ）に示すように、ヘアキャッチャー１０に捕集された毛髪やごみＨは、隆起部１０Ｂの先端部に接触することになるため、毛髪やごみＨの全体が流入側面Ｓ１に接触することを抑えることができ、毛髪やごみＨを流入側面Ｓ１から剥離し易くすることができる。
また、毛髪やごみＨの端部は、第１通水孔１０Ａの流入口Ｅ１を通る前に隆起部１０Ｂに接触することになるため、毛髪やごみＨの端部が流入側面Ｓ１から離れる方向に向き易くなる（図４（Ｃ）参照。）。これにより、ヘアキャッチャー１０は毛髪やごみＨが第１通水孔１０Ａの流入口Ｅ１に入り難くなる。
【００１９】
このように、ヘアキャッチャー１０は、毛髪やごみが流入側面Ｓ１に沿う方向で、流入側面Ｓ１に対してどの方向を向いて配置されても、毛髪やごみが隆起部１０Ｂに接触することになるため、毛髪やごみの全体が流入側面Ｓ１に接触することを抑えることができ、毛髪やごみを流入側面Ｓ１から剥離し易くすることができる。
【００２０】
したがって、本発明のヘアキャッチャー１０は付着した毛髪やごみが取り除き易い。
【００２１】
また、ヘアキャッチャー１０は、第１通水孔１０Ａの流入口Ｅ１が隆起部１０Ｂに開口している。このため、毛髪やごみは第１通水孔１０Ａの流入口Ｅ１に入る前に隆起部１０Ｂに接触することになる。このため、毛髪やごみの端部は、流入側面Ｓ１から離れる方向に向き易くなる。これにより、毛髪やごみが流入口Ｅ１に入り難くすることができる。
【００２２】
また、ヘアキャッチャー１０は、排水路７内に配置された状態で、第２通水孔１０Ｃの流入口Ｅ３が流入側面Ｓ１の最下部に開口している。このため、排水が第２通水孔１０Ｃから流下することによって、流入側面Ｓ１に排水が溜まり難くすることができる。これにより、流入側面Ｓ１を乾燥した状態にし易い。
【００２３】
本発明は上記記述及び図面によって説明した実施例に限定されるものではなく、例えば次のような実施例も本発明の技術的範囲に含まれる。
（１）実施例１では、ほぼ椀状をなしているが、平板状や円筒形状等の他の形状であってもよい。
（２）実施例１では、洗面器に連通した排水路に設けられているが、浴槽や浴室等の排水路に配置してもよい。
（３）流入側面に水をはじく性質（撥水性）を付与してもよい。これによっても、流入側面を乾燥した状態にし易くなる。
【符号の説明】
【００２４】
１０…ヘアキャッチャー
１０Ａ…第１通水孔
１０Ｂ…隆起部
１０Ｃ…第２通水孔
Ｅ１…第１通水孔の流入口
Ｅ３…第２通水孔の流入口
Ｓ１…流入側面
【図１】
2019167672.tif 000003
【図２】
2019167672.tif 000004
【図３】
2019167672.tif 000005
【図４】
2019167672.tif 000006
【図５】
2019167672.tif 000007